(57)【要約】      （修正有）【課題】沿岸に押し寄せる水平方向の津波を、津波の持つエネルギーを利用して波力を反転させ、津波が湾内に入らない防波堤を提供する。【解決手段】外海と湾内を区画するように海岸部に設置し、湾内に波が侵入することを防止する防波堤１であって、外海側に基礎部分から発生する大きなＲ（アール）部分と、外海側に傾斜角６ももった壁面を設け、津波のもつエネルギーを利用して、防波堤に到達した津波を緩やかに反転、上昇させ、天空高く外海に放出することにより津波の持つエネルギーを無くすとともに、海側に落下した海水が新たに到達した津波とぶつかり合うことで津波の持つエネルギーを軽減することができる。【選択図】図１
0003179087.tif 000002
【実用新案登録請求の範囲】
【請求項１】
外海と湾内とを区画するように海岸部に設置し、湾内に波が侵入するのを防ぐ防波堤であって外海側に基礎部分から発生する大きなＲ（アール）部分と、海側に傾斜角α（アルファ）をもった壁面を特徴とした防波堤。
【請求項２】
Ｒ（アール）状の壁面の裏側（湾内側）は基礎部分と分断することなく、一体構造にして作った基礎を持つことを特徴とする防波堤。
【考案の詳細な説明】
【技術分野】
【０００１】  本考案は、防波堤本体に作用する津波の波力を利用して上昇、反転させることで内陸に影響を及ぼさない防波堤に関する。
【背景技術】
【０００２】  従来より設置の防波堤は基礎部分にコンクリートケイソンを垂直に立て、津波の乗り越え防止だけのものであり、巨大津波では簡単に乗り越えてしまう怖さがある。
【考案の概要】
【考案が解決しようとする課題】
【０００３】  上記構成の防波堤は、すべての波力を防波堤の構造体であるコンクリートケイソンで垂直に受け止められるのでコンクリートケイソンに非常に大きな衝撃力が作用するが大津波ではこれらを壊し、乗り越えてしまう。【０００４】  よって、上記構成の防波堤では、防波堤の固定部分を強靭に作る必要があった。また、津波が防波堤本体に与える衝撃は海底の比較的浅い部分よりも水面近くで最大となる。【０００５】  そこで、本考案は、上記問題点に鑑みてなされたものであり、防波堤本体に作用する衝撃を軽減するとともに波力を反転、上昇させて外海へ運び内陸に影響を及ぼさない防波堤を提供することを目的としている。
【課題を解決するための手段】
【０００６】  請求項１に記載の考案では、外海と湾内を区画するように海岸部に設置し、湾内に波が侵入することを防止する防波堤であって、外海に面する基礎部分から始まる大きなＲ（アール）状の形態を設け、さらにＲ（アール）の接線から直線に変わり、さらに上に上っていくと外海に向かって傾斜角α（アルファ）が設けられているという技術的手段を用いる。【０００７】これにより、大津波が沿岸部に押し寄せてきたとき、波は大きなＲ（アール）状の壁面に緩やかに沿いながら上へと上がっていくが、外海に向かって壁面に傾斜角α（アルファ）があるため、波の流れがわずかに外海へ向かって反転、上昇して空高く上がっていく。【０００８】波はまだ大きなエネルギーがあるので、そのまま上昇を続け、防波堤の高さを超えても波全体は、わずかに外海へ向かっているので波が湾内へ向かうことはない。、
上昇しきった波は天空でエネルギーを失い、単なる海水となって落下するが落下点は押し寄せる津波の真上へ落ちるので津波の持つエネルギーを減殺させることができる。
このため必ずしも防波堤の最大高さは最大津波の高さまで作る必要がなく、かなり経済的に防波堤を作ることができる。【０００９】  請求項２に記載の考案によれば、押し寄せた津波は最初にＲ（アール）状の壁面でブロックされるが、湾内側の基礎部分から上のＲ（アール）状の壁面の反対側は波をブロックするために大きなモーメントが働くため基礎部分と分けることなく一部を一体構造に作る必要性がある。【００１０】  そのため、Ｒ（アール）状の壁面の裏側は基礎部分と分断することなく一体の構造物とする。
【図面の簡単な説明】
【００１１】
【図１】本考案の実施形態の断面図である。
【図２】本考案の実施形態の上面図である。
【図３】本考案の実施形態の津波予想図である。
【考案を実施するための形態】
【００１２】（実施形態）
以下、本考案の実施形態の防波堤について図を参照して説明する。なお、本考案は、以下の実施形態に限定されるものではない。
【００１３】外海と湾内を区画するように海岸部に設置し、湾内に波が侵入することを防止する防波堤１であって、外海に面する基礎部分２から始まる大きなＲ（アール）３状の形態を設け、Ｒ（アール）３の接線から直線４に変わり、さらに上に上っていくと外海に向かって傾斜角α（アルファ）が設けられている。
【００１４】これにより、津波が沿岸部に押し寄せてきたとき、まず大きなＲ（アール）３状の壁面に沿って緩やかに波が上へと上がっていくが壁面４に傾斜角α（アルファ）６があるため、波が流れてきた方向と逆方向の海側へ向きながら上昇を続ける。
波のもつエネルギーでさらに上昇を続けるが防波堤の高さ自体に関係なく、上昇する勢いであくまでも海側へ向きながら天高く上昇するが、上昇しきったところで津波としてのエネルギーを失い単なる海水となって外海側へ落下する。このため必ずしも最大津波の高さまで防波堤の高さを作る必要がなく、かなり経済的に防波堤を作ることができる。
【００１５】このようにして上昇して海側へ落下した海水は、新しく押し寄せてきた波とぶつかり合うため津波自身のエネルギーは流れを阻害されて減衰される。
【００１６】また、押し寄せてきた津波は最初に防波堤に設けられたおおきなＲ（アール）３状の壁に当たるが、壁が曲線のため垂直に立った防波堤に比較すると穏やかに曲面に沿って上昇するので垂直構造に比較すると衝撃が少なくて済む。
【００１７】外海側基礎部分から上のＲ（アール）状の壁面と、壁面裏側にも津波の衝撃が働くため基礎部分と分けることなく一体に作る必要性がある。
【００１８】  そのため、Ｒ（アール）状の壁面の裏側は基礎部分と分断することなく同一の構造物とする必要性がある。図１
［実施形態の効果］
上述のように、本考案の防波堤によれば次に列挙する効果が得られる。
津波のもつエネルギーを利用して津波を大きなＲ（アール）に沿って緩やかに上昇、傾斜角α（アルファ）により反転、上昇した津波は天空でエネルギーを失い、単なる海水となって外海側へ落下する。
このため、津波が防波堤高さを越えて上昇しても湾内に津波が押し寄せることはない。
さらに、海側へ落下した海水は、新たに押し寄せてくる津波とぶつかり合うので津波のエネルギーを軽減させる相乗効果が期待できる。
【産業上の利用可能性】
【００１９】  本考案は防波堤本体に作用する衝撃軽減と、津波自身のエネルギーを軽減可能にする防波堤に関するものである。
【符号の説明】
【００２０】１  防波堤
２  基礎部分
３  Ｒ（アール）状の壁面
４  傾斜壁面
５  基礎部分と一体の構造物
６  傾斜角α
【図１】
0003179087.tif 000003
【図２】
0003179087.tif 000004
【図３】
0003179087.tif 000005
【手続補正書】
【提出日】平成24年7月18日(2012.7.18)
【手続補正１】
【補正対象書類名】実用新案登録請求の範囲
【補正対象項目名】全文
【補正方法】変更
【補正の内容】
【実用新案登録請求の範囲】
【請求項１】
外海と湾内とを区画するように海岸部に設置し、湾内に波が侵入するのを防ぐ防波堤であって、外海側に基礎部分から発生する大きなＲ（アール）部分と、外海側に傾斜角α（アルファ）をもった壁面と、が設けられていることを特徴とした防波堤。
【請求項２】
前記Ｒ（アール）部分の裏側（湾内側）は基礎部分と分断することなく、一体構造にして作ったことを特徴とする請求項１に記載の防波堤。